(57)【要約】【課題】ケーシングの便器本体への取り付け・取り外しを容易にし、さらに美観を向上させることができるトイレ装置を提供する。【解決手段】便器本体とケーシングとを固定するトイレ装置であって、ケーシングは、突出部が前記ストッパ受け部に挿入されることで、固定部に対する上方向への移動が規制され、その状態で上方からネジ挿通孔を介してネジ孔にネジがねじ込まれることで、固定部に固定され、ケーシングは、突出部が前記ストッパ受け部に挿入される方向とは反対の方向に、ストッパ受け部に挿入された突出部の挿入量以上に固定部に対しスライド移動可能である。【選択図】図６
2015014104.tif 000002
【特許請求の範囲】
【請求項１】
便器本体と、予め定められた機能を実行する機能部を収納するケーシングと、前記便器本体の上面側に設けられた固定部と、を備え、前記固定部に前記ケーシングを取り付けることで、前記便器本体と前記ケーシングとを固定するトイレ装置であって、
前記ケーシングまたは前記固定部のうち一方は、水平方向に突出した突出部を有するストッパを備え、他方は、前記突出部が水平方向に挿入されるストッパ受け部を備え、
前記ケーシングの底板の後部には、上下にネジを挿通可能なネジ挿通孔が形成され、
前記ケーシングと前記便器本体とを所定の相対的な位置関係にしたときに、前記固定部の前記ネジ挿通孔に対応する位置にネジ孔が形成され、
前記ケーシングは、前記突出部が前記ストッパ受け部に挿入されることで、前記固定部から離間する方向への移動が規制され、その状態で上方から前記ネジ挿通孔を介して前記ネジ孔にネジがねじ込まれることで、前記固定部に固定され、
前記ケーシングは、前記突出部が前記ストッパ受け部に挿入される方向とは反対の方向に、前記ストッパ受け部に挿入された前記突出部の挿入量以上に前記固定部に対しスライド移動可能であることを特徴とするトイレ装置。
【請求項２】
前記ケーシングまたは前記固定部のうち一方は、上下方向に突出する突起部を備え、他方は、前記突起部が挿入される突起受け部を備え、
前記突起受け部に前記突起部が挿入されると、前記ケーシングの前記固定部に対するスライド移動方向と直交する水平方向への移動が規制されることを特徴とする請求項１に記載のトイレ装置。
【請求項３】
前記ストッパは、前記突出部を形成する挿入部材と、前記挿入部材を付勢するバネと、を備え、
前記ストッパ受け部は、前記突出部が挿入可能な挿入孔を備え、
上方から前記ケーシングを前記便器本体に対する所定位置に近づけると、前記突出部が前記ストッパ受け部に干渉することによって前記挿入部材が前記バネの付勢力に抗する方向に移動し、前記ケーシングが前記所定位置に配置されると、前記突出部が前記バネの付勢力によって前記挿入孔に挿入されることを特徴とする請求項１または２に記載のトイレ装置。
【請求項４】
前記ストッパ受け部は、前記挿入孔を複数有することを特徴とする請求項３に記載のトイレ装置。
【発明の詳細な説明】
【技術分野】
【０００１】
本発明は、トイレ装置に係り、特に便器本体にケーシングが固定されるトイレ装置に関する。
【背景技術】
【０００２】
従来、便器本体の上面後部に、使用者の「おしり」などを洗浄する洗浄機能を備えた機能部を収納するケーシングが固定されるトイレ装置が知られている（特許文献１参照）。
【０００３】
例えば、特許文献１には、便器本体への機能部の取り付け方法として、便器本体に対して固定された金属プレートの左右縁部を上方に立ち上げて形成した立設部に設けた挿通孔を通して、ケーシングの左右側面からネジ部材を締着することにより、ケーシングの前側を便器本体に対して固定し、その後、便器本体の後部の張出部を上下に挿通するように形成されたネジ孔を通して、そのネジ孔の下方に設けられた空間からネジ部材を締着することでケーシングの後側を便器本体に対して固定するという方法が開示されている。
【先行技術文献】
【特許文献】
【０００４】
【特許文献１】特開２００３―２６８８３９号公報
【発明の概要】
【発明が解決しようとする課題】
【０００５】
しかしながら、従来の取り付け方法では、例えば特許文献１のように、便器本体の下方側等に手を入れてネジ止めを行う必要が生じるため、便器本体へのケーシングの取り付けが面倒であった。また、ケーシングの側面は使用者の目に留まる部分であるため、ケーシングの左右側面からネジ止めを行うと、ネジまたはネジを隠すためのネジカバーがケーシングの側面に露出し、トイレ装置の美観を損ねるという問題があった。
【０００６】
本発明は、ケーシングの便器本体への取り付け・取り外しを容易にすることができ、さらに美観を向上させることができるトイレ装置を提供することを目的とする。
【課題を解決するための手段】
【０００７】
上記目的を達成するため、本発明に係わるトイレ装置においては、便器本体と、予め定められた機能を実行する機能部を収納するケーシングと、前記便器本体の上面側に設けられた固定部と、を備え、前記固定部に前記ケーシングを取り付けることで、前記便器本体と前記ケーシングとを固定するトイレ装置であって、前記ケーシングまたは前記固定部のうち一方は、水平方向に突出した突出部を有するストッパを備え、他方は、前記突出部が水平方向に挿入されるストッパ受け部を備え、前記ケーシングの底板の後部には、上下にネジを挿通可能なネジ挿通孔が形成され、前記ケーシングと前記便器本体とを所定の相対的な位置関係にしたときに、前記固定部の前記ネジ挿通孔に対応する位置にネジ孔が形成され、前記ケーシングは、前記突出部が前記ストッパ受け部に挿入されることで、前記固定部から離間する方向への移動が規制され、その状態で上方から前記ネジ挿通孔を介して前記ネジ孔にネジがねじ込まれることで、前記固定部に固定され、前記ケーシングは、前記突出部が前記ストッパ受け部に挿入される方向とは反対の方向に、前記ストッパ受け部に挿入された前記突出部の挿入量以上に前記固定部に対しスライド移動可能であることを特徴とする。
【０００８】
このような構成のトイレ装置によれば、便器本体にケーシングを取り付ける際には、固定部に対しケーシングを上方から取り付け、その後、ネジ止めによる固定を便器本体に取り付けられたケーシングの上方から行うことができる。また、ケーシングを便器本体から取り外す際には、ネジを外した後、固定部に対しケーシングをスライド移動させるだけで取り外すことができる。よって、便器本体へのケーシングの取り付け、便器本体からのケーシングの取り外しを容易にすることができる。さらに、固定部に対するケーシングの位置決めはネジ止めをせずに行うことができ、また、固定部へのケーシングの固定が使用者から見えにくい位置であるケーシングの後部で行われることで、美観を向上させることができる。
【０００９】
また、本発明においては、前記ケーシングまたは前記固定部のうち一方は、上下方向に突出する突起部を備え、他方は、前記突起部が挿入される突起受け部を備え、前記突起受け部に前記突起部が挿入されると、前記ケーシングの前記固定部に対するスライド移動方向と直交する水平方向への移動が規制されることを特徴とする。
【００１０】
このような構成のトイレ装置によれば、突起部が突起受け部へと挿入されることで、ケーシングの固定部に対するスライド移動方向と直交する水平方向への移動が規制され、固定部に対するケーシングの位置決めを行うことができる。そのため、便器本体にケーシングを取り付ける際には、突起部を突起受け部へと挿入した後、便器本体に対しケーシングをスライド移動させるだけで固定部に対しケーシングを取り付けることができる。よって、ケーシングの便器本体への取り付けがより容易となる。また、便器本体にケーシングが取り付けられた状態においても、ケーシングの固定部に対するスライド移動方向と直交する方向への移動が規制されているため、荷重によるストッパおよびストッパ受け部の破損を防止することができる。
【００１１】
また、本発明においては、前記ストッパは、前記突出部を形成する挿入部材と、前記挿入部材を付勢するバネと、を備え、前記ストッパ受け部は、前記突出部が挿入可能な挿入孔を備え、上方から前記ケーシングを前記便器本体に対する所定位置に近づけると、前記突出部が前記ストッパ受け部に干渉することによって前記挿入部材が前記バネの付勢力に抗する方向に移動し、前記ケーシングが前記所定位置に配置されると、前記突出部が前記バネの付勢力によって前記挿入孔に挿入されることを特徴とする。
【００１２】
このような構成のトイレ装置によれば、便器本体とケーシングとの隙間に汚水が浸入すること防止するために、特に便器本体のボウルの縁方向に直交する断面が蛇行する形態のヒダ状であるパッキンを有するトイレ装置の場合には、ケーシングと便器本体との隙間に汚水が浸入することを防止することができると共に、ケーシングを便器本体へと取り付ける際に、上方から垂直にケーシングを便器本体へと取り付けることができるため、ケーシングを便器本体に取り付ける際にパッキンがめくれて機能不全となることを防止することができる。
【００１３】
また、本発明においては、前記ストッパ受け部は、前記挿入孔を複数有することを特徴とする。
【００１４】
このような構成のトイレ装置によれば、便器本体に製造誤差が生じている場合においても、容易に便器本体に対しケーシングを取り付けることができる。
【発明の効果】
【００１５】
本発明によれば、便器本体へのケーシングの取り付け、便器本体からのケーシングの取り外しを容易にすることができ、さらに美観を向上させることができる。
【図面の簡単な説明】
【００１６】
【図１】本発明の一実施形態に係るトイレ装置の斜視図である。
【図２】本発明の一実施形態に係るトイレ装置の上面図である。
【図３】本発明の一実施形態に係るトイレ装置の便器本体を示す斜視図である。
【図４】本発明の一実施形態に係るトイレ装置の第１固定部近傍の拡大図である。
【図５】本発明の一実施形態に係るトイレ装置の第２固定部近傍の拡大図である。
【図６】本発明の一実施形態に係るトイレ装置の分解斜視図である。
【図７】本発明の一実施形態に係るトイレ装置のケーシングの底面斜視図である。
【図８】本発明の一実施形態に係るトイレ装置のケーシングの一部を拡大して眺めた底面斜視図である。
【図９】本発明の一実施形態に係るトイレ装置の断面図である。
【図１０】本発明の一実施形態に係るトイレ装置のストッパおよび第１固定部の近傍を眺めた断面図である。
【図１１】本発明の一実施形態に係るトイレ装置のストッパおよび第１固定部の近傍を眺めた断面図である。
【図１２】本発明の一実施形態に係るトイレ装置のストッパおよび第１固定部の近傍を眺めた断面図である。
【図１３】本発明の一実施形態に係るトイレ装置のストッパおよび第１固定部の近傍を眺めた断面図である。
【発明を実施するための形態】
【００１７】
本発明に係るトイレ装置は、機能部を収納するケーシングが便器本体の上面に取り付けられる構成において、ケーシングの便器本体に対する固定部として、水平方向に突出するストッパの挿入係合によって固定作用が得られるとともにケーシングの便器本体に対する相対的なスライド移動によって固定解除が可能な固定部と、上方から操作可能なネジによる固定部とを備えるものである。これにより、ケーシングの便器本体への取り付け・取り外しを容易にすることができ、さらに美観を向上させることができるトイレ装置を実現するものである。以下、本発明の実施の形態を説明する。
【００１８】
［トイレ装置の概要］
まず、本実施形態に係るトイレ装置について、図１および図２を用いて説明する。なお、図１は、本実施形態に係るトイレ装置の斜視図である。図２は、本実施形態に係るトイレ装置の上面図であり、便座および便蓋５００を省略して示してある。
【００１９】
本実施形態に係るトイレ装置１００は、便器本体２００と、便器本体２００の上面に設置された局部洗浄装置３００と、を備える。
【００２０】
便器本体２００は、汚物を受けるためのボウル２１０を有している。なお、便器本体２００の洗浄機構としては、いわゆる「ロータンク式」でもよく、あるいはロータンクを用いない「水道直圧式」であってもよい。
【００２１】
局部洗浄装置３００は、便器本体２００の後方上部に固定されるケーシング４００と、そのケーシング４００に対して開閉可能に軸支された便座（図示なし）および便蓋５００と、を有する。また、ケーシング４００の内部には、予め定められた機能を実行する機能部として、便座に座った使用者の「おしり」などの洗浄を実現する局部洗浄機能部などが収納されている。
【００２２】
なお、ケーシング４００の内部には、機能部として、例えば、便器本体２００のボウル２１０内の空気を吸い込み、フィルタや触媒などで臭気成分を低減させる脱臭機能部や、便座に座った使用者の「おしり」などに向けて温風を吹き付けて乾燥させる温風乾燥機能部や、トイレ室内に温風を吹き出してトイレ室を暖房する室内暖房機能部などが収納されていてもよい。
【００２３】
［便器本体の構成］
次に、便器本体２００の構成について、図３〜図６を用いて説明する。図３は、本実施形態に係るトイレ装置の便器本体を示す斜視図である。図４は、本実施形態に係るトイレ装置の第１固定部近傍の拡大図であり、図５は本実施形態に係るトイレ装置の第２固定部近傍の拡大図である。また、図６は、本実施形態に係るトイレ装置の分解斜視図である。
【００２４】
便器本体２００の後部上面側には、固定部６００が便器本体２００に対し別体に設けられており、固定部６００は、第１固定部６１０と、第２固定部６２０とで構成されている（図６参照）。固定部６００にケーシング４００を取り付けることで、便器本体２００とケーシング４００とが互いに固定される。
【００２５】
なお、同図には、便器本体２００と固定部６００とが別体の場合を例にとり示したが、便器本体２００と固定部６００とが別体である必要は無く、固定部６００を便器本体２００に一体的に形成しても構わない。また、同図には、固定部６００が第１固定部６１０と第２固定部とで別体に構成されている場合を例にとり示したが、第１固定部６１０と第２固定部とを一体的に形成しても構わない。本実施形態では、第１固定部６１０および第２固定部６２０は、それぞれ便器本体２００とは別体の所定の固定部材が便器本体２００に固定されることにより構成されている。
【００２６】
第１固定部６１０は、底部６１１と、その底部６１１の周縁部から上方に立設した側面部６１２と、を有し、底部６１１と底部６１１の周縁に設けられた側面部６１２とにより全体として略箱状の形状を有する（図４参照）。
【００２７】
底部６１１には、ネジなどの取付具を上下方向に挿通させるための挿通孔６１３と、上下方向に突出する突起部６１４と、が形成されている。本実施形態では、挿通孔６１３および突起部６１４は、互いに干渉することなく、いずれも左右方向に所定の間隔を隔てた２箇所の位置に設けられている。また、本実施形態では、突起部６１４は、第１固定部６１０の底部６１１から上方に突出している。
【００２８】
また、第１固定部６１０は、側面部６１２に、後述するストッパ４５０の突出部４５１ａが挿入されるストッパ受け部６１５を備えている。ストッパ受け部６１５は、側面部６１２のうち後ろ側の壁面部分に設けられており、側面部６１２と同様に底部６１１の縁部から上方に立設する板状の部分である。ストッパ受け部６１５は、その板厚方向（前後方向）に貫通する挿入孔６１５ａを３つ有しており、それらの挿入孔６１５ａは、上下方向に並んで形成されている。本実施形態では、挿入孔６１５ａは、左右方向を長手方向とする長孔である。
【００２９】
第１固定部６１０は、ネジ６１３ａを挿通孔６１３に通し、便器本体２００に形成された第１固定部用ネジ孔２３０にねじ込むことにより、便器本体２００へと固定される（図６参照）。
【００３０】
第２固定部６２０は、便器本体２００の後側の壁面部の上縁部を構成する部材であり、便器本体２００の後側の壁面部に沿うように左右方向を長手方向とする細長い板状の部分を有する。第２固定部６２０は、その中央に凸部６２３を有しており、凸部６２３の両側に、ネジなどの取付具を上下方向に挿通させるための挿通孔６２１と、ネジが螺挿されるネジ孔６２２と、を有している（図５参照）。
【００３１】
挿通孔６２１は、第２固定部６２０の左右両端部、つまり第２固定部６２０の細長い板状の部分の両端側にそれぞれ１箇所ずつ設けられている。また、ネジ孔６２２は、両側の挿通孔６２１の間であって、左右方向について第２固定部６２０の中心から左右の両側の所定の位置にそれぞれ１箇所ずつ設けられている。
【００３２】
第２固定部６２０は、ネジ６２１ａを挿通孔６２１に通し、便器本体２００に形成された第２固定部用ネジ孔２４０にねじ込むことにより、便器本体２００へと固定される（図６参照）。
【００３３】
［ケーシングの構成］
ケーシング４００について、図６〜図１０を用いて説明する。図７は、本実施形態に係るケーシングの底面斜視図であり、図８は、図７に示す点線で囲んだ領域Ｂの部分を示す部分拡大図である。図９は、本実施形態に係るトイレ装置の一部を省略した断面図であり、図１０は、本実施形態に係るトイレ装置のストッパおよび第１固定部の近傍を眺めた断面図である。なお、図９は、図２におけるＡ−Ａ断面図である。図１０において、ストッパおよび第１固定部の近傍とは、図９に示す点線で囲んだ領域Ｃの部分を示す。
【００３４】
ケーシング４００は、上面カバー４１０と、底板４２０と、を備えている。ケーシング４００においては、底板４２０により略平板状の底部分が構成され、底板４２０の上側に設けられる上面カバー４１０により、底板４２０上にケーシング４００における機能部の収納空間が形成される。ケーシング４００は、底板４２０側を便器本体２００の上面側に対向させて取り付けられる。上面カバー４１０は、その後方部に隠蔽カバー４１１を有している（例えば、図７参照）。隠蔽カバー４１１は、上面カバー４１０の外装の一部を形成する部分であり、上面カバー４１０の本体に対して取外し可能に設けられる。
【００３５】
底板４２０は、その後方部にネジを上下方向に挿通可能なネジ挿通孔４２１と、凸部６２３を挿入するための凸部挿入孔４２２を有している。上述した第２固定部６２０においては、ケーシング４００と便器本体２００とを所定の相対的な位置関係にしたときに、ネジ挿通孔４２１に対応する位置にネジ孔６２２が形成される。ここで、所定の相対的な位置関係とは、ケーシング４００を便器本体２００に対して固定して、トイレ装置１００を構成したときのケーシング４００と便器本体２００の位置関係を指す。
【００３６】
ネジ挿通孔４２１は、上面カバー４１０のうちの隠蔽カバー４１１により覆われる位置に設けられている。したがって、隠蔽カバー４１１を上面カバー４１０から取り外すことで、ケーシングの上方からネジ挿通孔４２１にネジを挿通させることができる（図６参照）。また、凸部挿入孔４２２は、その孔の径が凸部６２３の前後長に比べて長く形成されている。
【００３７】
また、底板４２０には、その前方部の、ケーシング４００を便器本体２００に固定したときに便器本体２００に接する位置に、便器本体２００とケーシング４００との隙間をシールするためのパッキン４３０が便器本体のボウル２１０の縁の形状に沿って設けられている。具体的には、パッキン４３０は、ケーシング４００を構成する底板４２０の前端縁に形成された凹部の形状に沿う湾曲部と、この湾曲部の左右両側に設けられ底板４２０の前側の辺部に沿う直線部とを有する。パッキン４３０は、そのボウル２１０の縁方向に直交する断面が蛇行する形態のヒダ状である。
【００３８】
さらに、底板４２０は、突起部６１４が挿入される突起受け部４４０と、ストッパ４５０と、を備えている（例えば、図８参照）。
【００３９】
突起受け部４４０には、突起部６１４を挿入可能にするために、底板４２０から下方に向かって突出した壁部４４１が形成されている。壁部４４１は、左右方向に突起部６１４の幅と略同様の間隔を空けて形成された側壁４４１ａ、４４１ｂを有し、この間に挿入された突起部６１４の左右方向への移動を規制する。壁部４４１の後方部は切り欠かれており、壁部４４１の水平方向の断面形状がコの字形状となっている。
【００４０】
ストッパ４５０は、突出部４５１ａを形成する挿入部材４５１と、挿入部材４５１を付勢するバネ４５２と、挿入部材４５１およびバネ４５２を収納する収納部４５３と、収納蓋４５５と、を有している（例えば、図１０参照）。
【００４１】
突出部４５１ａは、水平方向に突出しており、挿入部材４５１は、バネ４５２の付勢力により突出部４５１ａが突出している方向に付勢されている。また、挿入部材４５１において、突出部４５１ａの反対側の面には、バネ４５２を支持するための支持部４５１ｂが形成されている。
【００４２】
収納部４５３の前方部には、挿入部材４５１およびバネ４５２を収納部４５３内に収納するための入口孔４５３ａが形成されている。また、収納部４５３の後方部には、収納部４５３内に収納された挿入部材４５１の突出部４５１ａを収納部４５３内から突出させるための出口孔４５３ｂが形成されている。なお、入口孔４５３ａおよび出口孔４５３ｂは、互いに対面にする位置形成されている。収納蓋４５５は、入口孔４５３ａを塞ぐための蓋である。収納蓋４５５の内面には、支持部４５１ｂと同様にバネ４５２を支持するための支持部４５５ａが形成されている。
【００４３】
バネ４５２は、支持部４５１ｂおよび支持部４５５ａによって収納部４５３内において伸縮方向を水平方向に維持するように支持されている
【００４４】
収納部４５３に挿入部材４５１およびバネ４５２を収納する際には、まず、収納部４５３の前側の入口孔４５３ａから挿入部材４５１を収納部４５３内へと挿入する。このとき、挿入部材４５１は、突出部４５１ａが出口孔４５３ｂから突出されるまで収納部４５３内へ挿入される。次に、収納蓋４５５の支持部４５５ａに前端側が嵌め込まれたバネ４５２を入口孔４５３ａから収納部４５３内へと挿入する。このとき、収納部４５３内へと挿入されたバネ４５２の後端側が、支持部４５１ｂに嵌め込まれるように収納蓋４５５を動かす。その後、バネ４５２の後端側をバネ支持部４５１ｂに挿入し、収納蓋４５５により、入口孔４５３ａを塞ぐ。このように、入口孔４５３ａから順番に挿入部材４５１、バネ４５２、および収納蓋４５５の各部材を挿入し、最後に収納蓋４５５により入口孔４５３ａを塞ぐことで、収納部４５３内に挿入部材４５１およびバネ４５２を収納することができる。
【００４５】
［便器本体に対するケーシングの取り付け手順］
ケーシング４００を便器本体２００の上面に取り付けるときの取り付け手順について、図５、図６、図８、および、図１０〜図１２を用いて説明する。図１０〜図１２は、本実施形態に係るトイレ装置のストッパおよび第１固定部の近傍を眺めた断面図である。なお、図１０〜図１２において、ストッパおよび第１固定部の近傍とは、図９に示す点線で囲んだ領域Ｃ部分を示す。
【００４６】
まず、図１０に示すように、ケーシング４００を、矢印Ｄ１の向き、すなわち便器本体２００へ向けて下降させる。このとき、ケーシング４００の底板４２０に設けられた突起受け部４４０に（図８参照）、第１固定部６１０に設けられた突起部６１４が挿入されることで、突起受け部４４０の側壁４４１ａ、４４１ｂによってケーシング４００の第１固定部６１０に対するスライド移動方向と直交する水平方向（左右方向）への移動が規制され、第１固定部６１０に対するケーシング４００の位置決めが行われる。
【００４７】
図１０には、便器本体２００に対するケーシング４００の下降の過程において、挿入部材４５１の突出部４５１ａがストッパ受け部６１５の上端に接触した時点を示しており、同図に示す状態では、突出部４５１ａは、ストッパ受け部６１５からの押圧力を受けず、バネ４５２の付勢力により、出口孔４５３ｂを介して収納部４５３の外へ突出している。なお、突出部４５１ａがストッパ受け部６１５の上端に接触していない場合にも、突出部４５１ａは、ストッパ受け部６１５からの押圧力を受けず、バネ４５２の付勢力により、出口孔４５３ｂを介して収納部４５３の外へ突出している。
【００４８】
次に、図１１に示すように、ケーシング４００を、矢印Ｄ２の向き、すなわち便器本体２００へ向けてさらに下降させる。そうすると、同図に示すように、突出部４５１ａは、ストッパ受け部６１５に干渉することで、挿入部材４５１は、ストッパ受け部６１５から矢印Ｄ３方向の押圧力を受け、バネ４５２の付勢力に抗する方向、すなわち前方方向へ移動し、収納部４５３内に後退する。ここで、挿入部材４５１が下方への移動によってストッパ受け部６１５に対して上側から干渉することでバネ４５２の付勢力に抗して前方へ移動するように、ストッパ受け部６１５に対する接触部において、下降移動によってストッパ受け部６１５から相対的に受ける上向きの力の一部を前向きの力へと変換するための斜面が形成されている。
【００４９】
続いて、図１２に示すように、ケーシング４００が下降できなくなる位置、すなわち第２固定部６２０に底板４２０が接触する位置までケーシング４００を便器本体２００へ向けてさらに下降させる。このケーシング４００の下降の過程で、突出部４５１ａとストッパ受け部６１５の挿入孔６１５ａ〜６１５ｃのいずれかとの上下方向の位置が略一致することにより、突出部４５１ａは、ストッパ受け部６１５から矢印Ｄ３方向の押圧力を受けなくなる。すなわち、突出部４５１ａがストッパ受け部６１５に干渉していない状態となり、突出部４５１ａがストッパ受け部６１５から受けていた押圧力は、解除される。
【００５０】
これにより、突出部４５１ａは、バネ４５２の付勢力によってストッパ受け部６１５の挿入孔６１５ａに挿入され、収納部４５３外へ突出する。このように、上方からケーシング４００を便器本体２００に対する所定位置に近づけると、突出部４５１ａがストッパ受け部６１５に干渉することによって挿入部材４５１がバネ４５２の付勢力に抗する方向に移動し、ケーシング４００が前記所定位置に配置されると、突出部４５１ａがバネ４５２の付勢力によって６１５ａ挿入孔に挿入される。ここで、ケーシング４００についての便器本体２００に対する所定位置とは、挿入部材４５１の突出部４５１ａがストッパ受け部６１５の挿入孔６１５ａに挿入可能となる位置である。すなわち、挿入部材４５１は、ケーシング４００の下降によってストッパ受け部６１５に突出部４５１ａを干渉させた状態でバネ４５２の付勢力に抗する前方への移動によって挿入孔６１５ａの上側の部分を乗り越えていずれかの挿入孔６１５ａの位置に達することで、バネ４５２の付勢力によって出口孔４５３ｂから突出部４５１ａを再度突出させて、突出部４５１ａを挿入孔６１５ａに挿入させる。突出部４５１ａがストッパ受け部６１５の挿入孔６１５ａに挿入されることで、突出部４５１ａとストッパ受け部６１５との係止力によって、便器本体２００に対するケーシング４００の上下方向の移動が規制（ロック）され、ケーシング４００が下降できなくなる位置まで下降した状態から、使用者が無理にケーシング４００の前方側を持ち上げて上昇させようとしても、ケーシング４００は、その状態から上昇することはできない。つまり、突出部４５１ａがストッパ受け部６１５に挿入されることで、固定部６００に対するケーシング４００の上方向への移動が規制される。
【００５１】
なお、ケーシング４００を便器本体２００に向けて下降させる過程（図１０〜図１２参照）で、第２固定部６２０の凸部６２３は、底板４２０の凸部挿入孔４２２に挿入される。ケーシング４００を便器本体２００に取り付けて凸部６２３が凸部挿入孔４２２に挿入された状態において、便器本体２００の形状が理想的な形状であれば、凸部６２３の後外側面と凸部挿入孔４２２の後内側面との間に、後述する突出部４５１ａの挿入量Ｘ以上の隙間が形成されるようになっている。
【００５２】
そして、突出部４５１ａとストッパ受け部６１５との係止作用によって第１固定部６１０に固定されたケーシング４００の上方から、ケーシング４００のネジ挿通孔４２１を介して、第２固定部６２０のネジ孔６２２にネジ６２２ａをねじ込むことにより、ケーシング４００の後部が第２固定部６２０に固定される。その後、隠蔽カバー４１１をケーシング４００の所定部位に嵌め込むことにより、ネジ６２２ａによるネジ止め箇所を覆う（図６参照）。このようにして、便器本体２００に対しケーシング４００が取り付けられる。
【００５３】
以上のように、本実施形態に係るトイレ装置１００においては、便器本体２００にケーシング４００を取り付ける際には、第１固定部６１０に対しケーシング４００を上方から取り付け固定し、その後、第２固定部６２０においてネジ止めによる固定を便器本体２００に取り付けられたケーシング４００の上方から行うことができる。よって、便器本体２００の側方からネジ止めを行ったり、便器本体２００の後部下方から手を入れてネジ止めを行ったりする必要がなく、便器本体２００へのケーシング４００の取り付けを容易にすることができる。さらに、第１固定部６１０に対するケーシング４００の上下方向における位置決めはネジ止めをせずに行うことができ、第２固定部６２０へのケーシング４００の固定は、使用者から見えにくい位置、すなわちケーシング４００の後部で行うため、美観を向上させることができる。
【００５４】
また、突起受け部４４０に突起部６１４が挿入されると、ケーシング４００の第１固定部６１０に対するスライド移動方向と直交する水平方向への移動が規制され、第１固定部６１０に対するケーシング４００の位置決めを行うことができる。すなわち、突起受け部４４０に突起部６１４が挿入されることで、第１固定部６１０に対し、ケーシング４００がガイドされる。そのため、便器本体２００にケーシング４００を取り付ける際には、突起部６１４を突起受け部４４０へと挿入した後、突出部４５１ａが挿入孔６１５ａに挿入されていない場合に、便器本体２００に対しケーシング４００をスライド移動させるだけで第１固定部６１０おける固定作用を得るができる。よって、便器本体２００へのケーシング４００の取り付けを容易にすることができる。
【００５５】
さらに、ケーシング４００側に設けられた壁部４４１と第１固定部６１０に設けられた突起部６１４との係合作用により、便器本体２００にケーシング４００が取り付けられた状態においても、ケーシング４００の第１固定部６１０に対するスライド移動方向と直交する方向への移動が規制されているため、荷重によるストッパ４５０およびストッパ受け部６１５の破損を防止することができる。
【００５６】
また、ケーシング４００は、第１固定部６１０および第２固定部６２０に固定されことで、便器本体２００へと取り付けられる。その際、上方から垂直にケーシング４００を便器本体２００へと取り付けることができるため、ケーシング４００を便器本体２００へと取り付ける際に、パッキン４３０がめくれてしまい機能不全となることを防止することができる。
【００５７】
また、ストッパ受け部６１５において挿入孔６１５ａが複数形成されているため、そのうちのいずれか１つに突出部４５１ａが挿入されると、ケーシング４００を便器本体２００に取り付けることができる。よって、便器本体２００に製造誤差が生じ、固定部６００を含めた便器本体２００の高さに誤差が生じている場合においても、容易にケーシング４００を便器本体２００に取り付けることができる。すなわち、本実施形態では上下方向に並んで３箇所に形成された挿入孔６１５ａにより、便器本体２００の製造誤差による第１固定部６１０の高さ位置のバラツキを許容することができ、第１固定部６１０における固定作用を確実に得ることができる。
【００５８】
［便器本体に対するケーシングの取り外し手順］
ケーシング４００を便器本体２００の上面から取り外すときの取り外し手順について、図１２および図１３を用いて説明する。図１３は、本実施形態に係るトイレ装置のストッパおよび第１固定部の近傍を眺めた断面図である。なお、図１３において、ストッパおよび第１固定部の近傍とは、図９に示す点線で囲んだ領域Ｃの部分を示す。
【００５９】
まず、隠蔽カバー４１１をケーシング４００から取り外して、ネジ６２２ａを露出させる。そして、ネジ挿通孔４２１を介してネジ孔６２２にねじ込まれたネジ６２２ａを外す。そうすることで、第２固定部６２０による便器本体２００へ対するケーシング４００の後部の固定が解除される。
【００６０】
次に、図１３に示すように、第１固定部６１０にケーシング４００が固定された状態から、矢印Ｄ３の方向にケーシング４００を第１固定部６１０に対しスライド移動させる。そうすると、同図に示すように、挿入孔６１５ａに挿入されていた突出部４５１ａが、挿入孔６１５ａから外れることで、便器本体２００に対するケーシング４００の上下方向の移動に係るロックが解除される。
【００６１】
なお、図１２に示すように、第１固定部６１０にケーシング４００が固定された状態において、突出部４５１ａの挿入量Ｘよりも、第１固定部６１０の前方部の側面部６１２内面から収納蓋４５５の外面までの直線距離Ｙの方が大きい。そのため、ケーシング４００は、突出部４５１ａが挿入孔６１５ａに挿入される方向とは反対の方向に、突出部４５１ａの挿入量Ｘ以上に第１固定部６１０に対しスライド移動可能であり、上述した矢印Ｄ３の方向への、第１固定部６１０に対するケーシング４００のスライド移動を可能にしている。なお、突出部４５１ａの挿入量Ｘとは、突出部４５１ａが挿入孔６１５ａに挿入可能な量のことを指している。
【００６２】
また、便器本体２００の製造誤差により、その形状が理想的な形状とならず、図１３に示すように、第１固定部６１０にケーシング４００が固定された状態から、矢印Ｄ３の方向にケーシング４００を第１固定部６１０に対しスライド移動させる過程において、突出部４５１ａが挿入孔６１５ａから外れるよりも先に、凸部挿入孔４２２に挿入された凸部６２２が凸部挿入孔４２２の後方側壁面に干渉してケーシング４００をスライド移動できなくなった場合が生じたとしても、撓み性を持つ素材により第２固定部６２０を形成しておくことで、さらに力を加えケーシング４００を前方方向にスライド移動させると、突出部４５１ａが挿入孔６１５ａから外れる位置までケーシング４００を第１固定部６１０に対しスライド移動させることができる。
【００６３】
以上のように、本実施形態に係るトイレ装置１００においては、ケーシング４００を便器本体２００から取り外す際には、ネジ６２２ａを外して便器本体２００へ対するケーシング４００の後部の固定を解除した後、第１固定部６１０に対しケーシング４００をスライド移動させるだけで、ケーシング４００を便器本体２００から取り外すことができる。よって、便器本体２００からのケーシング４００の取り外しを容易に行うことができる。
【００６４】
なお、本実施形態では、ケーシング４００に突起受け部４４０を設けつつ第１固定部６１０に突起部６１４を設けているが、これに限るものではなく、ケーシングに突起部を設けつつ第１固定部に突起部を設けてもよい。この場合、ケーシングに設けられる突起部は、下方に向けて突出することになる。つまり、ケーシング４００または第１固定部６１０のうちの一方に上下方向に（上方または下方に向けて）突出する突起部が備えられ、他方に突起部が挿入される突起受け部が備えられればよい。
【００６５】
また、本実施形態では、ケーシング４００にストッパ４５０を設けつつ第１固定部６１０にストッパ受け部６１５を設けているが、これに限るものではなく、ケーシングにストッパ受け部を設けつつ第１固定部にストッパを設けてもよい。つまり、ケーシングまたは第１固定部のうちの一方に水平方向に突出した突出部を有するストッパが備えられ、他方に突出部が水平方向に挿入されるストッパ受け部が備えられればよい。
【００６６】
また、本実施形態では、ストッパ４５０の突出部４５１ａは、ケーシング４００に対して後方に向けて水平方向に突出しているが、ケーシングに対して前方にむけて水平方向に突出していてもよい。その場合、ストッパ受け部は、第１固定部の前方側の側面部に設けられる。
【００６７】
また、本実施形態では、バネ４５２を有するストッパ４５０について説明したが、ストッパはバネを有していなくてもよい。例えば、突出部４５１ａが出口孔４５３ｂから突出した状態になるように、挿入部材４５１が収納部４５３に固定されていてもよい。その場合、ストッパはバネを有していないため、ケーシングを便器本体２００に向けて下降したときに、突出部４５１ａは、ストッパ受け部６１５に干渉することでストッパ受け部６１５から矢印Ｄ３方向の押圧力を受けても、収納部４５３内に後退しない。そのため、便器本体２００にケーシングを取り付ける際には、突出部４５１ａがストッパ受け部６１５に干渉しないように、水平方向にややずらした位置で、ケーシングを便器本体２００に向けて下降させる。そして、突起部６１４が突起受け部４４０へと挿入された後、便器本体２００に対しケーシングを突出部４５１ａが挿入孔６１５ａに挿入される方向へスライド移動させることで第１固定部６１０に対しケーシングを取り付けることができる。よって、この場合においても、便器本体２００へのケーシングの取り付けを容易にすることができる。なお、便器本体２００からのケーシングの取り外し手順は、上述した手順と同様である。
【符号の説明】
【００６８】
１００    ：トイレ装置
２００    ：便器本体
２１０    ：ボウル
２３０    ：第１固定部用ネジ孔
２４０    ：第２固定部用ネジ孔
３００    ：局部洗浄装置
４００    ：ケーシング
４１０    ：上面カバー
４１１    ：隠蔽カバー
４２０    ：底板
４２１    ：ネジ挿通孔
４２２    ：凸部挿入孔
４３０    ：パッキン
４３１    ：溝部
４４０    ：突起受け部
４４１    ：壁部
４５０    ：ストッパ
４５１    ：挿入部材
４５１ａ  ：突出部
４５１ｂ  ：バネ支持部
４５２    ：バネ
４５３    ：収納部
４５３ａ  ：入口孔
４５３ｂ  ：出口孔
４５５    ：収納蓋
４５５ａ  ：支持部
５００    ：便蓋
６００    ：固定部
６１０    ：第１固定部
６１１    ：底部
６１２    ：側面部
６１３    ：挿通孔
６１３ａ  ：ネジ
６１４    ：突起部
６１５    ：ストッパ受け部
６１５ａ  ：挿入孔
６２０    ：第２固定部
６２１    ：挿通孔
６２１ａ  ：ネジ
６２２    ：ネジ孔
６２２ａ  ：ネジ
６２３    ：凸部
Ｘ        ：挿入量
Ｙ        ：直線距離
【図１】
2015014104.tif 000003
【図２】
2015014104.tif 000004
【図３】
2015014104.tif 000005
【図４】
2015014104.tif 000006
【図５】
2015014104.tif 000007
【図６】
2015014104.tif 000008
【図７】
2015014104.tif 000009
【図８】
2015014104.tif 000010
【図９】
2015014104.tif 000011
【図１０】
2015014104.tif 000012
【図１１】
2015014104.tif 000013
【図１２】
2015014104.tif 000014
【図１３】
2015014104.tif 000015